【手続補正書】
【提出日】平成14年9月30日(2002.9.30)
【手続補正１】
【補正対象書類名】明細書
【補正対象項目名】特許請求の範囲
【補正方法】変更
【補正の内容】
【特許請求の範囲】
【請求項１】
サンプルの検体を検出する方法であって、
オリゴヌクレオチドを結び付けたある種類のナノ粒子共役体を提供するステップであって、ナノ粒子に取り付けられたオリゴヌクレオチドの少なくとも一部分が、ハイブリダイゼーションの結果、検体の特異的結合補体に結び付けられた第２のオリゴヌクレオチドに結合するステップと、
検体を、検体とナノ粒子共役体に結び付けられた特異的結合補体との間の特異的結合相互作用を許容するのに有効な条件下で、ナノ粒子共役体と接触させるステップと、
検体と検体の特異的結合補体との特異的結合相互作用によってもたらされた検出可能な変化を観察するステップと、から成る方法。
【請求項２】
検体を検出する方法であって、
オリゴヌクレオチドを結び付けたある種類のナノ粒子共役体を提供するステップであって、ナノ粒子に取り付けられたオリゴヌクレオチドの少なくとも一部分が、ハイブリダイゼーションの結果、連結オリゴヌクレオチドの第１部分に結合し、連結オリゴヌクレオチドはハイブリダイゼーションの結果、検体の特異的結合補体を結び付けたオリゴヌクレオチドに結合する第２部分を有するステップと、
検体を、検体とナノ粒子共役体に結び付けた特異的結合補体との間の特異的結合相互作用を許容するのに有効な条件下で、ナノ粒子共役体と接触させるステップと、
検体と検体の特異的結合補体との特異的結合相互作用によってもたらされた検出可能な変化を観察するステップと、から成る方法。
【請求項３】
検体を検出する方法であって、
（ｉ）オリゴヌクレオチドを結び付けた検体、（ｉｉ）検体に結び付けられたオリゴヌクレオチドの配列に相補的な配列を有するオリゴヌクレオチドを結び付けた第１種類のナノ粒子、および（ｉｉｉ）オリゴヌクレオチドを結び付けた第２種類のナノ粒子を提供するステップであって、第２種類のナノ粒子に結び付けられたオリゴヌクレオチド一部が、ハイブリダイゼーションの結果、検体の特異的結合補体に結び付けられたオリゴヌクレオチドに結合するを提供するステップと、
検体に結び付けられたオリゴヌクレオチドと、第１種類のナノ粒子に取り付けられたオリゴヌクレオチドとがハイブリダイズしてナノ粒子−検体共役体を形成するのに有効な条件下で、検体に結び付けたオリゴヌクレオチドを第１種類のナノ粒子と接触させるステップと、
検体と第２種類のナノ粒子の特異的結合補体との間の特異的結合相互作用を許容するのに有効な条件下で、ナノ粒子−検体共役体を第２種類のナノ粒子共役体と接触させるステップと、
検体と検体の特異的結合補体との特異的結合相互作用によってもたらされた検出可能な変化を観察するステップと、から成る方法。
【請求項４】
検体を検出する方法であって、
（ｉｉ）少なくとも２つの部分を有する連結オリゴヌクレオチド、（ｉｉｉ）オリゴヌクレオチドであって、その一部が連結オリゴヌクレオチドの第２部分に相補的な配列を有するオリゴヌクレオチドを取り付けた第１種類のナノ粒子、（ｉ）連結オリゴヌクレオチドの第１部分に相補的な配列を有するオリゴヌクレオチドを結び付けた検体、および（ｉｖ）オリゴヌクレオチドであって、その一部が、ハイブリダイゼーションの結果、検体の特異的結合補体に結び付けられたオリゴヌクレオチドに結合するオリゴヌクレオチドを結び付けた第２種類のナノ粒子、を提供するステップと、
第１種類のナノ粒子に取り付けられたオリゴヌクレオチドと、連結オリゴヌクレオチドの第１部分との間のハイブリダイゼーションを許容するのに有効な条件下で連結オリゴヌクレオチドを第１種類のナノ粒子と接触させるステップと、
検体に結び付けたオリゴヌクレオチドと、連結オリゴヌクレオチドの第２部分との間のハイブリダイゼーションを許容するのに有効な条件下で、連結オリゴヌクレオチドを、検体に結び付けたオリゴヌクレオチドと接触させるステップと、
第１種類のナノ粒子に結び付けた検体と、第２種類のナノ粒子に結び付けた特異的結合補体との間の特異的結合相互作用を許容するのに有効な条件下で、第１種類のナノ粒子に結び付けられた検体と、第２種類のナノ粒子とを接触させるステップと、
検体の、検体の特異的結合補体に対する特異的結合によってもたらされた検出可能な変化を観察するステップと、から成る方法。
【請求項５】
検体は多価であり、２つ以上のナノ粒子共役体に結合する、請求項１〜４のいずれか一項に記載の方法。
【請求項６】
検体は多価であり、２つ以上のナノ粒子共役体に特異的に結合する、請求項１〜４のいずれか一項に記載の方法。
【請求項７】
前記接触条件には凍結と融解が含まれる、請求項１〜４のいずれか一項に記載の方法。
【請求項８】
前記接触条件には加熱が含まれる、請求項１〜４のいずれか一項に記載の方法。
【請求項９】
検出可能な変化は固体表面上で観察される、請求項１〜４のいずれか一項に記載の方法。
【請求項１０】
検出可能な変化は肉眼で観察可能な色の変化である、請求項１〜４のいずれか一項に記載の方法。
【請求項１１】
色の変化が固体表面上で観察される、請求項１〜４のいずれか一項に記載の方法。
【請求項１２】
ナノ粒子が金から形成されている、請求項１〜４のいずれか一項に記載の方法。
【請求項１３】
検体を検出する方法であって、
（ｉ）検体を結び付けた支持体、および（ｉｉ）オリゴヌクレオチドであって、その一部がハイブリダイゼーションの結果、検体の特異的結合補体を有する第２のオリゴヌクレオチドに結合するオリゴヌクレオチドを結び付けたナノ粒子共役体を提供するステップと、
支持体に結び付けられた検体を、検体とナノ粒子共役体に結び付けられた特異的結合補体との間の特異的結合相互作用を許容するのに有効な条件下で、ナノ粒子共役体に接触させるステップと、
検体の特異的結合補体に対する検体の特異的結合に基づいて、検出可能な変化を観察するステップと、から成る方法。
【請求項１４】
検体を検出する方法であって、
（ｉ）オリゴヌクレオチドを結び付けた支持体、および（ｉｉ）支持体に結び付けられたオリゴヌクレオチドに相補的な配列を有するオリゴヌクレオチドを結び付けた検体、および（ｉｉｉ）オリゴヌクレオチドであって、その一部が、ハイブリダイゼーションの結果、検体の特異的結合補体に結び付けられた第２のオリゴヌクレオチドに結合するオリゴヌクレオチドを結び付けたある種類のナノ粒子共役体を提供するステップと、
支持体に結び付けられたオリゴヌクレオチドを、支持体に結び付けられたオリゴヌクレオチドと検体に結び付けられたオリゴヌクレオチドとの間のハイブリダイゼーションを許容するのに有効な条件下で、検体に結び付けられたオリゴヌクレオチドと接触させるステップと、
支持体に結び付けられた検体を、支持体に結び付けられた検体とナノ粒子に結び付けられた特異的結合補体との間の特異的結合補体を許容するのに有効な条件下で、ナノ粒子共役体と接触させるステップと、
検体の特異的結合補体に対する検体の特異的結合に基づいて、検出可能な変化を観察するステップと、から成る方法。
【請求項１５】
サンプルの検体を検出する方法であって、
（ｉ）オリゴヌクレオチドを結び付けた支持体、（ｉｉ）連結オリゴヌクレオチド、（ｉｉ）オリゴヌクレオチドを結び付けた検体、（ｉｉｉ）オリゴヌクレオチドを結合させたある種類のナノ粒子共役体を提供するステップであって、ナノ粒子共役体に結び付けられたオリゴヌクレオチドの少なくとも一部分が、ハイブリダイゼーションの結果、前記検体の特異的結合補体に結合されたオリゴヌクレオチドに結合し、連結オリゴヌクレオチドの配列は少なくとも２つの部分を有し、支持体に結び付けられたオリゴヌクレオチドは連結オリゴヌクレオチドの第１部分に相補的な配列を有し、検体に結び付けられたオリゴヌクレオチドは、連結オリゴヌクレオチドの第２部分に相補的な配列を有するステップと、
連結オリゴヌクレオチドを、支持体に結び付けられたオリゴヌクレオチドと、連結オリゴヌクレオチドの第１部分との間のハイブリダイゼーションを許容するのに有効な条件下で、支持体に結び付けられたオリゴヌクレオチドと接触させるステップと、
連結オリゴヌクレオチドを、検体に結び付けられたオリゴヌクレオチドと連結オリゴヌクレオチドの第２部分との間のハイブリダイゼーションを許容するのに有効な条件下で、検体に結び付けられたオリゴヌクレオチドと接触させるステップと、
支持体に結び付けられた検体を、支持体に結び付けられた検体とナノ粒子共役体に結び付けられた特異的結合補体との間の特異的結合相互作用を許容するのに有効な条件下で、ナノ粒子共役体と接触させるステップと、
検体の特異的結合補体に対する検体の特異的結合に基づいて、検出可能な変化を観察するステップと、から成る方法。
【請求項１６】
検体を検出する方法であって、
（ｉ）オリゴヌクレオチドを結び付けた支持体、（ｉｉ）支持体に結び付けたオリゴヌクレオチドの配列に相補的であるオリゴヌクレオチドを結び付けた検体、（ｉｉｉ）オリゴヌクレオチドを結び付けたある種類のナノ粒子を提供するステップであって、ナノ粒子に結び付けられたオリゴヌクレオチドの一部がハイブリダイゼーションの結果、連結オリゴヌクレオチドの第１部分に結合し、連結オリゴヌクレオチドの第２部分がさらに、ハイブリダイゼーションの結果、前記検体の特異的結合補体に結び付けられたオリゴヌクレオチドを有するオリゴヌクレオチドに結び付けられるステップと、
支持体に結び付けたオリゴヌクレオチドを、支持体に結び付けたオリゴヌクレオチドと検体に結び付けたオリゴヌクレオチドとの間のハイブリダイゼーションを許容するのに有効な条件下で、検体に結び付けたオリゴヌクレオチドと接触させるステップと、
支持体に結び付けた検体を、支持体に結び付けた検体とナノ粒子に結び付けた特異的結合補体との間の特異的結合相互作用を許容するのに有効な条件下で、ナノ粒子共役体と接触させるステップと、
検体の特異的結合補体に対する検体の特異的結合に基づいて、検出可能な変化を観察するステップと、から成る方法。
【請求項１７】
検体を検出する方法であって、
（ｉ）検体を結び付けた支持体、および（ｉｉ）オリゴヌクレオチドを結び付けた少なくとも２種類のナノ粒子を含む凝集体プローブを提供するステップであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、ハイブリダイズした結果検体の特異的結合補体を結び付けた第２のオリゴヌクレオチドに結合されるステップと、
支持体に結び付けられた検体と凝集体プローブに結び付けられた特異的結合補体との間の特異的結合相互作用を許容するのに有効な条件下で、支持体を凝集体プローブと接触させるステップと、
検体の特異的結合補体に対する検体の特異的結合に基づいて、検出可能な変化を観察するステップと、から成る方法。
【請求項１８】
検体を検出する方法であって、
（ｉ）オリゴヌクレオチドを結び付けた支持体、（ｉｉ）支持体に結び付けられたオリゴヌクレオチドに相補的なオリゴヌクレオチドを結び付けた検体、（ｉｉｉ）オリゴヌクレオチドを結び付けた少なくとも２種類のナノ粒子を含む凝集体プローブを提供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、検体の特異的結合補体が結び付けられた第２のオリゴヌクレオチドに結合する提供するステップと、
オリゴヌクレオチドを結び付けた支持体とオリゴヌクレオチドを結び付けた検体を接触させるステップであって、接触は、検体に結び付けられたオリゴヌクレオチドと支持体に結び付けられたオリゴヌクレオチドとのハイブリダイゼーションが有効な条件下で起こるステップと、
支持体に結び付けられた検体を、支持体に結び付けられた検体を凝集体プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項１９】
検体を検出する方法であって、
（ｉ）オリゴヌクレオチドを結び付けた支持体、（ｉｉ）少なくとも２つの部分を有する連結オリゴヌクレオチド、（ｉｉｉ）オリゴヌクレオチドを結び付けた検体、（ｉｖ）オリゴヌクレオチドを結び付けた少なくとも２種類のナノ粒子を含む凝集体プローブを提供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、検体の特異的結合補体が結び付けられた第２のオリゴヌクレオチドに結合し、支持体に結び付けられたオリゴヌクレオチドは連結オリゴヌクレオチドの第１部分に相補的な配列を有し、検体に結び付けられたオリゴヌクレオチドは連結オリゴヌクレオチドの第２部分と相補的な配列を有しているステップと、
連結オリゴヌクレオチドを、支持体に結び付けられたオリゴヌクレオチドと連結オリゴヌクレオチドの第１部分の間のハイブリダイゼーションを許容するのに有効な条件下で、支持体に結び付けられたオリゴヌクレオチドと接触させるステップと、
連結オリゴヌクレオチドを、支持体に結び付けられた連結オリゴヌクレオチドの第２部分と検体に結び付けられたオリゴヌクレオチドとの間のハイブリダイゼーションを許容するのに有効な条件下で、検体に結び付けられたオリゴヌクレオチドと接触させるステップと、
支持体に結び付けられた検体を、支持体に結び付けられた検体と凝集体プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項２０】
検体を検出する方法であって、
（ｉ）オリゴヌクレオチドを結び付けた支持体、（ｉｉ）支持体に結び付けられたオリゴヌクレオチドの配列に相補的な配列を有するオリゴヌクレオチドを結び付けた検体、（ｉｉｉ）オリゴヌクレオチドを結び付けた少なくとも２種類のナノ粒子を含む凝集体プローブとを提供するステップであって、凝集体プローブのナノ粒子は、それぞれに取り付けたオリゴヌクレオチドの一部がハイブリダイズした結果として互いに結合し、凝集体プローブの少なくとも２種類のナノ粒子のうちの少なくとも１種類は、ハイブリダイゼーションの結果、連結オリゴヌクレオチドの第１部分に結合するオリゴヌクレオチドを有し、連結オリゴヌクレオチドの第２部分は、ハイブリダイゼーションの結果、検体の特異的結合補体が結び付けられたオリゴヌクレオチドに結合するステップと、
オリゴヌクレオチドを結び付けた支持体を、検体に結び付けられたオリゴヌクレオチドと支持体に結び付けられたオリゴヌクレオチドとのハイブリダイゼーションを許容するのに有効な条件下で、検体に結び付けられたオリゴヌクレオチドと接触させるステップと、
支持体に結び付けられた検体を、支持体に結び付けられた検体と凝集プローブに結び付けられた特異的結合補体との間の特異的結合相互作用を許容するのに有効な条件下で、凝集体プローブと接触させるステップと、
検体の特異的結合補体に対する検体の特異的結合に基づいて、検出可能な変化を観察するステップと、から成る方法。
【請求項２１】
検体を検出する方法であって、
（ｉ）検体を結び付けた支持体、および（ｉｉ）オリゴヌクレオチドを結び付けたナノ粒子を提供するステップであって、ナノ粒子に取り付けられたオリゴヌクレオチドの一部は、ハイブリダイゼーションの結果、前記検体の特異的結合補体に結び付けられた第２のオリゴヌクレオチドと結合するステップと、
検体を結び付けた支持体を、支持体に結び付けられた検体と、ナノ粒子共役体に結び付けられた特異的結合補体との間の特異的結合相互作用を許容するのに有効な条件下で、ナノ粒子共役体と接触させるステップと、
支持体に結び付けられたナノ粒子共役体を、銀染料と接触させて、検出可能な変化を生成するステップと、
検体との検体の特異的結合補体との特異的結合に基づいて、検出可能な変化を観察するステップと、から成る方法。
【請求項２２】
多価検体を検出する方法であって、
オリゴヌクレオチドを結び付けたナノ粒子プローブを提供するステップであって、ナノ粒子に取り付けられたオリゴヌクレオチドの少なくとも一部は、ハイブリダイゼーションの結果、リポーターオリゴヌクレオチドの第１部分に結合し、リポーターオリゴヌクレオチドの第２部分は、ハイブリダイゼーションの結果、検体の特異的結合補体を結び付けたオリゴヌクレオチドに結合するステップと、
多価検体を、検体とナノ粒子プローブ間の特異的結合相互作用を許容し、凝集複合体を形成するのに有効な条件下で、ナノ粒子プローブと接触させるステップと、
凝集複合体を分離するステップと、
凝集複合体を、凝集複合体をデハイブリダイズし、レポーターオリゴヌクレオチドをかつレポーターオリゴヌクレオチドを放出するのに有効な条件に供するステップと、
リポーターオリゴヌクレオチドの存在を検出するステップと、から成る方法。
【請求項２３】
核酸を検出する方法であって、
（ｉ）核酸の第１部分に相補的な配列を有するオリゴヌクレオチドを結び付けた、１または複数の種類のナノ粒子と、（ｉｉ）各々にオリゴヌクレオチドが結び付けられた２つ以上のビオチン分子に対して、特異的結合相互作用により結び付けられたストレプトアビジンまたはアビジンを含む複合体と、を提供するステップと、
核酸、ナノ粒子、および複合体を、核酸の第１部分とナノ粒子に結び付けられたオリゴヌクレオチドとのならびに核酸の第２部分と複合体に結び付けられたオリゴヌクレオチドとのハイブリダイゼーションを許容するのに有効な条件下で接触させるステップと、
ナノ粒子、複合体および核酸のハイブリダイゼーションから生じた検出可能な変化を観察するステップと、から成る方法。
【請求項２４】
核酸を検出する方法であって、
（ｉ）核酸の第１部分に相補的な配列を有するオリゴヌクレオチドを結び付けた、１または複数の種類のナノ粒子、（ｉｉ）核酸の第２部分と相補的な配列を有するビオチンに結び付けられたオリゴヌクレオチド、および（ｉｉｉ）ストレプトアビジンまたはアビジンを提供するステップと、
核酸を、核酸の第１部分とナノ粒子に取り付けられたオリゴヌクレオチドとのならびに核酸の第２部分とビオチンに取り付けられたオリゴヌクレオチドとの間のハイブリダイゼーションと、それによる複合体の形成を許容するのに有効な条件下で、ナノ粒子共役体およびビオチンに結び付けられたオリゴヌクレオチドと接触させるステップと、
複合体を、複合体に結び付けられたビオチンと、ストレプトアビジンまたはアビジンとの間の特異的結合相互作用を許容するのに有効な条件下で、ストレプトアビジンまたはアビジンと接触させるステップと、
複合体に結び付けられたビオチンとストレプトアビジンまたはアビジンとの特異的結合により生じた検出可能な変化を観察するステップと、から成る方法。
【請求項２５】
核酸を検出する方法であって、
オリゴヌクレオチドを取り付けた第１種類のナノ粒子共役体であって、ナノ粒子に取り付けた該オリゴヌクレオチドの少なくとも一部が核酸の第１部分に相補的な配列を有する第１種類のナノ粒子共役体を提供するステップと、
核酸を、ナノ粒子に取り付けられたオリゴヌクレオチドと核酸の第１部分との間のハイブリダイゼーションを許容するのに有効な条件下で、第１種類のナノ粒と接触させるステップと、
ｓｂｐメンバーを結び付けたオリゴヌクレオチドを提供するステップであって、ｓｂｐメンバーに結び付けられたオリゴヌクレオチドは、核酸の配列の第２部分に相補的な配列を有するステップと、
ｓｂｐメンバーに結び付けられた核酸を、ｓｂｐメンバーに結び付けられたオリゴヌクレオチドをと核酸の第２部分との間のハイブリダイゼーションを許容するのに有効な条件下で、接触させるステップと、
オリゴヌクレオチドを結び付けた第２種類のナノ粒子共役体を提供するステップであって、第２種類のナノ粒子に結び付けられた該オリゴヌクレオチドの少なくとも一部は、ハイブリダイゼーションの結果、検体の特異的結合補体を結び付けたオリゴヌクレオチドに結合するステップと、
第１種類のナノ粒子に結び付けられた核酸およびｓｂｐメンバーに結び付けられたオリゴヌクレオチドを、第１種類のナノ粒子に結び付けられたｓｂｐメンバーと第２種類のナノ粒子に結び付けられたｓｂｐ補体との間の特異的結合相互作用を許容するのに有効な条件下で、第２種類のナノ粒子に結び付けられたオリゴヌクレオチドと接触させるステップと、
ストレプトアビジンまたはアビジンとの特異的結合から生じた検出可能な変化を観察するステップと、から成る方法。
【請求項２６】
ｓｂｐメンバーはビオチンである請求項２５に記載の方法。
【請求項２７】
ｓｂ補体はストレプトアビジンまたはアビジンである請求項２５に記載の方法。
【請求項２８】
核酸を検出する方法であって、
核酸の第１部分に相補的な配列を有するオリゴヌクレオチドを結び付けた支持体を提供するステップと、
核酸を、支持体に結び付けられたオリゴヌクレオチドと、核酸の第１部分との間のハイブリダイゼーションを許容するのに有効な条件下で、オリゴヌクレオチドを結び付けた支持体と接触させるステップと、
ｓｂｐメンバーに結び付けられたオリゴヌクレオチドを提供するステップであって、該ｓｂｐメンバーに結び付けられたオリゴヌクレオチドは核酸の第２部分に相補的な配列を有しているステップと、
支持体に結び付けられた核酸を、ｓｂｐメンバーに結び付けられた核酸と核酸の第２部分との間のハイブリダイゼーションを許容するのに有効な条件下で、ｓｂｐメンバーに結び付けられたオリゴヌクレオチドと接触させるステップと、
オリゴヌクレオチドが結び付けられたある種類のナノ粒子共役体を提供するステップであって、ナノ粒子共役体に結び付けられたオリゴヌクレオチドの少なくとも一部が、ハイブリダイゼーションの結果、ｓｂｐメンバーの特異的結合補体に結び付けられたオリゴヌクレオチドに結合させるステップと、
支持体に結び付けられたｓｂｐメンバーを、支持体に結び付けられたｓｂｐメンバーとナノ粒子に結び付けられた特異的結合補体との間の特異的結合相互作用を許容するのに有効な条件下でナノ粒子共役体と接触させるステップと、
支持体に結び付けられたｓｂｐメンバーを、支持体に結び付けられたｓｂｐメンバーとナノ粒子に結び付けられた特異的結合補体との間の特異的結合相互作用を許容するのに有効な条件下で、ナノ粒子共役体と接触させるステップと、
ｓｂｐメンバーと特異的結合補体との間の特異的結合に基づいて、検出可能な変化を観察するステップと、から成る方法。
【請求項２９】
ｓｂｐメンバーはストレプトアビジンまたはアビジンである請求項２８に記載の方法。
【請求項３０】
ｓｂ補体はビオチンである請求項２８に記載の方法。
【請求項３１】
核酸を検出する方法であって、
オリゴヌクレオチドを取り付けたナノ粒子共役体を提供するステップであって、ナノ粒子に取り付けられたオリゴヌクレオチドの少なくとも一部は、核酸の第１部分に相補的な配列を有しているステップと、
核酸を、ナノ粒子に結び付けられたオリゴヌクレオチドと核酸の第１部分とのハイブリダイゼーションを許容するのに有効な条件下で、ナノ粒子に結び付けられたオリゴヌクレオチドと接触させるステップと、
ｓｂｐメンバーを結び付けたオリゴヌクレオチドを提供するステップであって、ｓｂｐメンバーに結び付けられたオリゴヌクレオチドは、核酸の第２部分に相補的な配列を有するステップと、
核酸を、ｓｂｐメンバーを有するオリゴヌクレオチドと核酸との間のハイブリダイゼーションを許容するのに有効な条件下で、ｓｂｐメンバーを有するオリゴヌクレオチドと接触させるステップと、
ｓｂｐメンバーの特異的結合補体に結び付けた支持体を提供するステップと、  支持体を、ｓｂｐメンバーと支持体に結び付けられたｓｂ補体との間に特異的結合相互作用が起こるのに有効な条件下で、ナノ粒子に結び付けられたｓｂｐメンバーと接触させるステップと、
ｓｂｐメンバーとｓｂｐメンバーの補体との特異的結合に基づいて、検出可能な出来事を観察するステップと、から成る方法。
【請求項３２】
ｓｂｐメンバーはビオチンである請求項３１に記載の方法。
【請求項３３】
ｓｂ補体はストレプトアビジンまたはアビジンである請求項３１に記載の方法。
【請求項３４】
核酸を検出する方法であって、
オリゴヌクレオチドを結び付けた支持体を提供するステップであって、支持体に結び付けられたオリゴヌクレオチドは核酸の第１部分に相補的な配列を有するステップと、
支持体に結び付けられたオリゴヌクレオチドと核酸の第１部分の間のハイブリダイゼーションを許容するのに有効な条件下で、核酸と支持体を接触させるステップと、
ｓｂｐメンバーに結び付けられたオリゴヌクレオチドを提供するステップであって、ｓｂｐメンバーに結び付けられたオリゴヌクレオチドは、核酸の第２部分と相補的な配列を有するステップと、
支持体に結び付けられた核酸の第２部分とｓｂｐメンバーに結び付けられたオリゴヌクレオチドとの間のハイブリダイゼーションを許容するのに有効な条件下で、支持体に結び付けられた核酸と、ｓｂｐメンバーに結び付けられたオリゴヌクレオチドとを接触させるステップと、
オリゴヌクレオチドを結び付けた少なくとも２種類のナノ粒子を含む凝集体プローブを提供するステップであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、ハイブリダイズした結果ｓｂｐメンバーの特異的結合補体を結び付けたオリゴヌクレオチドに結合されるステップと、
支持体に結び付けられたｓｂｐメンバーと凝集体プローブに結び付けられた特異的結合補体との間の特異的結合相互作用を許容するのに有効な条件下で、支持体に結び付けられたｓｂｐメンバーを凝集体プローブと接触させるステップと、
ｓｂｐメンバーとｓｂｐメンバーのｓｂ補体の特異的結合に基づいて、検出可能な変化を観察するステップと、から成る方法。
【請求項３５】
ｓｂｐメンバーはビオチンである請求項３４に記載の方法。
【請求項３６】
ｓｂ補体はストレプトアビジンまたはアビジンである請求項３４に記載の方法。
【請求項３７】
核酸を検出する方法であって、
（ｉ）オリゴヌクレオチドを結び付けた少なくとも２種類のナノ粒子を含む凝集体プローブであって、凝集体プローブのナノ粒子は、それらに取り付けられたオリゴヌクレオチドの一部がハイブリダイズした結果として互いに結合し、凝集体プローブの少なくとも２種類のナノ粒子のうちの少なくとも１種類には、核酸の第１部分に相補的ないくつかのオリゴヌクレオチドが取り付けられた凝集体プローブ、および（ｉｉ）核酸の第２部分に相補的な配列を有する、ｓｂｐメンバーを有するオリゴヌクレオチドを提供するステップと、
凝集体プローブに結び付けられたオリゴヌクレオチドの一部と核酸の第１部分との間のハイブリダイゼーションを許容するのに有効な条件下で、凝集体プローブに結び付けられたオリゴヌクレオチドと核酸の第１部分との間のハイブリダイゼーションを許容するのに有効な条件下で、核酸を凝集体プローブと接触させるステップと、
核酸を、ｓｂｐメンバーを有するオリゴヌクレオチドと接触させるステップであって、ｓｂｐメンバーを結び付けたオリゴヌクレオチドは、ｓｂｐメンバーを結び付けたオリゴヌクレオチドと核酸の第２部分との間のハイブリダイゼーションを許容するのに有効な条件下で、核酸の第２部分に相補的な配列を有するステップと、
ｓｂｐメンバーの特異的結合補体を結び付けた支持体を提供するステップと、
凝集体プローブに結び付けられたｓｂｐメンバーと支持体に結び付けられたｓｂ補体との間に生じる特異的結合相互作用を許容するのに有効な条件下で、凝集体プローブに結び付けた特異的結合補体と凝集体に結び付けられたｓｂｐメンバーとを接触させるステップと、
ｓｂｐメンバーおよびｓｂ補体の特異的結合に基づいて、検出可能な出来事を観察するステップと、から成る方法。
【請求項３８】
ｓｂｐメンバーはストレプトアビジンまたはアビジンである請求項３７に記載の方法。
【請求項３９】
ｓｂ補体はビオチンである請求項３７に記載の方法。
【請求項４０】
基板には、１つの核酸中の複数の部分の検出、複数の異なる核酸の検出、またはそれらの両方の検出を可能にするようアレイ状に複数の種類のナノ粒子が付着されている、請求項１３〜３９のいずれか一項に記載の方法。
【請求項４１】
基板が透明な基板または不透明な白色基板である、請求項１３〜３９のいずれか一項に記載の方法。
【請求項４２】
検出可能な変化は基板上における暗色領域の形成である、請求項１３〜３９のいずれか一項に記載の方法。
【請求項４３】
ナノ粒子が金から形成されている、請求項１３〜３９のいずれか一項に記載の方法。
【請求項４４】
基板を銀染料と接触させて検出可能な変化を生成する、請求項１３〜３９のいずれか一項に記載の方法。
【請求項４５】
検出可能な変化は光学式スキャナで観察される、請求項１３〜３９のいずれか一項に記載の方法。
【請求項４６】
検体を検出するためのナノ粒子共役体であって、
（ｉ）オリゴヌクレオチドを結び付けたナノ粒子と、
（ｉｉ）検体の特異的結合補体を結び付けたオリゴヌクレオチドであって、ナノ粒子に結び付けられたオリゴヌクレオチドの少なくとも一部分に相補的な配列を有し、ハイブリダイゼーションの結果、ナノ粒子に結び付けられたオリゴヌクレオチドの少なくとも一部分に結合する、オリゴヌクレオチドと、を備えたナノ粒子共役体。
【請求項４７】
検体を検出するためのナノ粒子共役体であって、
（ｉ）オリゴヌクレオチドを結び付けたナノ粒子と、
（ｉｉ）検体メンバーの特異的結合補体を結び付けたオリゴヌクレオチドと、
（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドと、
を備えたナノ粒子共役体。
【請求項４８】
検体を検出するための凝集体プローブであって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体が結び付けられたオリゴヌクレオチドであって、ハイブリダイゼーションの結果、凝集体プローブの少なくとも２種類のナノ粒子のうちの少なくとも１種類のオリゴヌクレオチドに結合するオリゴヌクレオチドと、
を備えた凝集体プローブ。
【請求項４９】
検体を検出するための凝集体プローブであって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体を結び付けたオリゴヌクレオチドと、
（ｉｉｉ）少なくとも２つの部分を有する連結オリゴヌクレオチドであって、連結オリゴヌクレオチドの第１部分は、ハイブリダイゼーションの結果、凝集体プローブの少なくとも２種類のナノ粒子のうちの少なくとも１種類のナノ粒子のオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドと、
を備えた凝集体プローブ。
【請求項５０】
検体を検出するためのナノプローブ共役体を調製する方法であって、
（ｉ）オリゴヌクレオチドを結び付けたナノ粒子共役体、および（ｉｉ）検体の特異的結合補体に結び付けたオリゴヌクレオチドであって、ナノ粒子に結び付けられたオリゴヌクレオチドの少なくとも一部分が、特異的結合補体に結び付けられたオリゴヌクレオチドの配列に相補的名配列を有するオリゴヌクレオチド、を提供するステップと、
ナノ粒子共役体に取り付けられたオリゴヌクレオチドを、ナノ粒子に結び付けられたオリゴヌクレオチドと特異的結合補体に結び付けられたオリゴヌクレオチドとの間のハイブリダイゼーションを許容するのに有効な条件下でナノ粒子共役体に取り付けたオリゴヌクレオチドと接触させるステップと、から成る方法。
【請求項５１】
検体を検出するためのキットであって、
（ａ）以下の（ｉ）〜（ｉｉｉ）を含むナノ粒子共役体を保持する少なくとも１つの容器と、
（ｉ）オリゴヌクレオチドを結び付けたナノ粒子
（ｉｉ）検体の特異的結合補体を結び付けたオリゴヌクレオチドであって、特異的結合対メンバーを有する該オリゴヌクレオチドは、ナノ粒子に結び付けられたオリゴヌクレオチドと結合し、ハイブリダイゼーションの結果、ナノ粒子に結び付けられたオリゴヌクレオチドの少なくとも一部に結合するオリゴヌクレオチドと、
（ｂ）  検出可能な変化を観察するための任意選択の支持体と、を備えたキット。
【請求項５２】
検体を検出するためのキットであって、
（ａ）以下の（ｉ）〜（ｉｉｉ）を含むナノ粒子共役体を保持する少なくとも１つの容器と、
（ｉ）オリゴヌクレオチドを結び付けたナノ粒子
（ｉｉ）検体の特異的結合補体を結び付けたオリゴヌクレオチド
（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチド
（ｂ）  検出可能な変化を観察するための任意選択の支持体と、を備えたキット。
【請求項５３】
検体を検出するためのキットであって、
（ｂ）以下の（ｉ）〜（ｉｉｉ）を含む凝集体プローブを保持する少なくとも１つの容器と、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体が結び付けられたオリゴヌクレオチドであって、ハイブリダイゼーションの結果、凝集体プローブの少なくとも２種類のナノ粒子のうちの少なくとも１種類のナノ粒子のオリゴヌクレオチドに結合するオリゴヌクレオチド
（ｂ）  検出可能な変化を観察するための任意選択の支持体と、を備えたキット。
【請求項５４】
検体を検出するためのキットであって、
（ａ）以下の（ｉ）〜（ｉｉｉ）を含む凝集体プローブを保持する少なくとも１つの容器であって、
（ｉ）オリゴヌクレオチドを結び付けた少なくとも２種類のナノ粒子であって、それらに取り付けられたオリゴヌクレオチドの一部がハイブリダイズした結果として互いに結合するナノ粒子と、
（ｉｉ）検体の特異的結合補体を結び付けたオリゴヌクレオチドと、
（ｉｉｉ）少なくとも２つの部分を有する連結オリゴヌクレオチドであって、連結オリゴヌクレオチドの第１部分は、ハイブリダイゼーションの結果、凝集体プローブの少なくとも２種類のナノ粒子のうちの少なくとも１種類のナノ粒子のオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを備えた容器と、
（ｂ）検出可能な変化を観察するための任意選択の支持体と、を備えたキット。
【請求項５５】
検体を検出するためのキットであって、
（ａ）オリゴヌクレオチドを結び付けたナノ粒子を含むある種類のナノ粒子を保持する少なくとも１つの容器と、
（ｂ）検体の特異的結合補体を結び付けたオリゴヌクレオチドを保持する容器と、該特異的結合対メンバーを結び付けたオリゴヌクレオチドは、ナノ粒子に結び付けたオリゴヌクレオチドの少なくとも一部分に相補的な配列を有することと、
（ｃ）検出可能な変化を観察するための任意選択の支持体と、を備えたキット。
【請求項５６】
検体を検出するためのキットであって、
（ａ）オリゴヌクレオチドを結び付けたナノ粒子共役体を保持する少なくとも１つの容器と、
（ｂ）検体メンバーの特異的結合補体を結び付けたオリゴヌクレオチドを保持する容器と、
（ｃ）少なくとも２つの部分を有する連結オリゴヌクレオチドを保持する容器と、連結オリゴヌクレオチドの第１部分は、ナノ粒子に結び付けられたオリゴヌクレオチドの少なくとも一部分に相補的であり、連結オリゴヌクレオチドの第２部分は、検体の特異的結合補体を結び付けたオリゴヌクレオチドと相補的であることと、
（ｄ）検出可能な変化を観察するための任意選択の支持体と、を備えたキット。
【請求項５７】
検体を検出するためのキットであって、
（ａ）オリゴヌクレオチドを結び付けた少なくとも２種類のナノ粒子を含む凝集体プローブを保持する少なくとも１つの容器と、凝集体プローブは、それらに取り付けられたオリゴヌクレオチドの一部がハイブリダイズした結果として互いに結び付けられることと、
（ｂ）検体の特異的結合補体が結び付けられたオリゴヌクレオチドを保持する容器と、該特異的結合補体が結び付けられたオリゴヌクレオチドは、凝集体プローブの少なくとも２種類のナノ粒子のうちの少なくとも１種類のナノ粒子のオリゴヌクレオチドに相補的であることと、
（ｃ）検出可能な変化を観察するための任意選択の支持体と、を備えたキット。
【請求項５８】
検体を検出するためのキットであって、
（ａ）オリゴヌクレオチドを結び付けた少なくとも２種類のナノ粒子を含む凝集体プローブを保持する少なくとも１つの容器と、凝集体プローブは、それらに取り付けられたオリゴヌクレオチドの一部がハイブリダイズした結果として互いに結び付けられることと、
（ｂ）検体の特異的結合補体が結び付けられたオリゴヌクレオチドが保持する容器と、
（ｃ）少なくとも２つの部分を有する連結オリゴヌクレオチドを保持する容器と、連結オリゴヌクレオチドの第１部分は、凝集体プローブの少なくとも２種類のナノ粒子のうちの少なくとも１種類のナノ粒子のオリゴヌクレオチドと相補的な配列を有し、連結オリゴヌクレオチドの第２部分は、検体の特異的結合補体を結び付けたオリゴヌクレオチドと相補的な配列を有することと、
（ｄ）検出可能な変化を観察するための任意選択の支持体と、を備えたキット。
【請求項５９】
検体を検出するためのキットであって、
（ａ）オリゴヌクレオチドを結び付けたある種類のナノ粒子を保持する少なくとも１つの容器と、
（ｂ）検体の特異的結合補体に結合するための官能基が共有結合により結合されたオリゴヌクレオチドを保持する容器と、該官能基に結合されたオリゴヌクレオチドは、ナノ粒子に結び付けられたオリゴヌクレオチドの少なくとも一部分に相補的な配列を有することと、
（ｃ）検出可能な変化を観察するための任意選択の支持体と、を備えたキット。
【請求項６０】
検体を検出するためのキットであって、
（ａ）オリゴヌクレオチドを結び付けたナノ粒子を保持する少なくとも１つの容器と、
（ｂ）検体の特異的結合補体に結合するための官能基が共有結合により結合されたオリゴヌクレオチドを保持する容器と、
（ｃ）少なくとも２つの部分を有する連結オリゴヌクレオチドを保持する容器と、連結オリゴヌクレオチドの第１部分は、ナノ粒子に結び付けられたオリゴヌクレオチドの少なくとも一部分に相補的であり、連結オリゴヌクレオチドの第２部分は、官能基を有するオリゴヌクレオチドに相補的であることと、
（ｄ）検出可能な変化を観察するための任意選択の支持体と、を備えたキット。
【請求項６１】
検体を検出するためのキットであって、
（ａ）オリゴヌクレオチドを結び付けた少なくとも２種類のナノ粒子を含む凝集プローブを保持する少なくとも１つの容器であって、凝集体プローブのナノ粒子は、それらに取り付けられたオリゴヌクレオチドの一部がハイブリダイズした結果として互いに結合することと、
（ｂ）検体の特異的結合補体に結合するための官能基が共有結合により結合されたオリゴヌクレオチドを保持する容器と、該官能基に結合されたオリゴヌクレオチドは、凝集体の少なくとも２種類のナノ粒子のうちの少なくととも１種類のナノ粒子のオリゴヌクレオチドに相補的な配列を有することと、
（ｃ）検出可能な変化を観察するための任意選択の支持体と、を備えたキット。
【請求項６２】
検体を検出するためのキットであって、
（ａ）オリゴヌクレオチドを結び付けた少なくとも２種類のナノ粒子を含む凝集プローブを保持する少なくとも１つの容器であって、凝集体プローブのナノ粒子は、それらに取り付けられたオリゴヌクレオチドの一部がハイブリダイズした結果として互いに結合することと、
（ｂ）検体の特異的結合補体に結合するための官能基が共有結合により結合されたオリゴヌクレオチドを保持する容器と、
（ｃ）少なくとも２つの部分を有する連結オリゴヌクレオチドを保持する容器と、連結オリゴヌクレオチドの第１部分は、凝集プローブの少なくとも２種類のナノ粒子のうちの少なくとも１種類のナノ粒子のオリゴヌクレオチドに相補的であり、連結オリゴヌクレオチドの第２部分は、官能基が結び付けられたオリゴヌクレオチドに相補的であることと、
（ｄ）検出可能な変化を観察するための任意選択の支持体と、を備えたキット。
【請求項６３】
検体を検出するためのキットであって、
オリゴヌクレオチドを取り付けた基板と、
検体の特異的結合補体に結合するための官能基が共有結合により結合されたオリゴヌクレオチドと、該官能基に結合されたオリゴヌクレオチドは、基板に結び付けられたオリゴヌクレオチドに相補的な配列を有することと、
（ｉ）オリゴヌクレオチドを結び付けたナノ粒子、（ｉｉ）検体の特異的結合補体を結び付けたオリゴヌクレオチドであって、ナノ粒子に結び付けられたオリゴヌクレオチドの少なくとも一部分に相補的な配列を有し、ハイブリダイゼーションの結果、ナノ粒子に結び付けられたオリゴヌクレオチドの少なくとも一部分に結合する、オリゴヌクレオチドと、を含むナノ粒子共役体と、を備えたキット。
【請求項６４】
検体を検出するためのキットであって、
オリゴヌクレオチドを取り付けた基板と、
検体の特異的結合補体に結合するための官能基が共有結合により結合されたオリゴヌクレオチドと、該官能基に結合されたオリゴヌクレオチドは、基板に結び付けられたオリゴヌクレオチドに相補的な配列を有することと、
（ｉ）オリゴヌクレオチドを結び付けたナノ粒子、（ｉｉ）ｓｂｐメンバーの特異的結合補体を結び付けたオリゴヌクレオチド、および（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを含むナノ粒子共役体と、を備えたキット。
【請求項６５】
検体を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
（ｉ）オリゴヌクレオチドを結び付けたナノ粒子、（ｉｉ）ｓｂｐメンバーの特異的結合補体を結び付けたオリゴヌクレオチドであって、ナノ粒子に結び付けられたオリゴヌクレオチドの少なくとも一部分に相補的な配列を有し、ハイブリダイゼーションの結果、ナノ粒子に結び付けられたオリゴヌクレオチドの少なくとも一部分に結合するオリゴヌクレオチドと、を含むナノ粒子共役体と、を備えたキット。
【請求項６６】
ｓｂｐメンバーがビオチンである、請求項６５に記載のキット。
【請求項６７】
ｓｂｐメンバーの特異的結合補体がストレプトアビジンまたはアビジンである、請求項６５に記載のキット。
【請求項６８】
核酸を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
（ｉ）オリゴヌクレオチドを結び付けたナノ粒子、（ｉｉ）ｓｂｐメンバーの特異的結合補体を結び付けたオリゴヌクレオチド、および（ｉｉｉ）少なくとも２つの部分を有する連結オリゴヌクレオチドであって、連結オリゴヌクレオチドの第１部分は、ハイブリダイゼーションの結果、ナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチドとを含むナノ粒子共役体と、を備えたキット。
【請求項６９】
ｓｂｐメンバーはビオチンである、請求項６８に記載のキット。
【請求項７０】
ｓｂｐメンバーの特異的結合補体がストレプトアビジンまたはアビジンである、請求項６８に記載のキット。
【請求項７１】
検体を検出するためのキットであって、
オリゴヌクレオチドを取り付けた基板と、
検体に結合するための官能基が共有結合により結合されたオリゴヌクレオチドであって、該官能基に結合されたオリゴヌクレオチドは、基板に結び付けられたオリゴヌクレオチドの少なくとも一部分に相補的な配列を有するオリゴヌクレオチドと、
以下の（ｉ），（ｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体に結び付けられたオリゴヌクレオチドであって、ハイブリダイゼーションの結果、凝集体プローブの前記少なくとも２種類のナノ粒子のうちの少なくとも１種類のナノ粒子のオリゴヌクレオチドがさらに結合するオリゴヌクレオチド
を備えたキット。
【請求項７２】
検体を検出するためのキットであって、
オリゴヌクレオチドを取り付けた基板と、
検体に結合するための官能基が共有結合により結合されたオリゴヌクレオチドであって、該官能基に結合されたオリゴヌクレオチドは、基板に結び付けられたオリゴヌクレオチドの少なくとも一部分に相補的な配列を有するオリゴヌクレオチドと、
以下の（ｉ）〜（ｉｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体が結び付けられたオリゴヌクレオチド
（ｉｉｉ）少なくとも２つの部分を有する連結オリゴヌクレオチドであって、連結オリゴヌクレオチドの第１部分は、ハイブリダイゼーションの結果、凝集体プローブの前記少なくとも２種類のナノ粒子のうちの少なくとも１種類のナノ粒子に結び付けられたオリゴヌクレオチドと結合し、連結オリゴヌクレオチドの第２部分は、ハイブリダイゼーションの結果、検体の特異的結合補体を結び付けたオリゴヌクレオチドに結合する連結オリゴヌクレオチド
を備えたキット。
【請求項７３】
核酸を検出するためのキットであって、
オリゴヌクレオチドを取り付けた基板と、基板に結び付けられたオリゴヌクレオチドは、核酸の第１部分に相補的な配列を有していることと、
以下の（ｉ），（ｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）ｓｂｐメンバーの特異的結合補体を結び付けたオリゴヌクレオチドであって、ハイブリダイゼーションの結果、凝集体プローブの前記少なくとも２種類のナノ粒子のうちの少なくとも１種類のナノ粒子に結び付けられたオリゴヌクレオチドと結合するオリゴヌクレオチド
を備えたキット。
【請求項７４】
ｓｂｐメンバーがビオチンである、請求項７３に記載のキット。
【請求項７５】
ｓｂｐメンバーの特異的結合補体がストレプトアビジンまたはアビジンである、請求項７３に記載のキット。
【請求項７６】
核酸を検出するためのキットであって、
オリゴヌクレオチドを取り付けた基板と、基板に結び付けられたオリゴヌクレオチドは、核酸の第１部分に相補的な配列を有していることと、
ｓｂｐメンバーに結び付けられたオリゴヌクレオチドであって、核酸の第２部分に相補的な配列を有するオリゴヌクレオチドと、
以下の（ｉ）〜（ｉｉｉ）を含む凝集体プローブと、
（ｉ）オリゴヌクレオチドを結び付けた少なくとも２種類のナノ粒子であって、それぞれに取り付けたオリゴヌクレオチドの一部がハイブリダイズした結果として互いに結合するナノ粒子
（ｉｉ）検体の特異的結合補体が結び付けられたオリゴヌクレオチド
（ｉｉｉ）少なくとも２つの部分を有する連結オリゴヌクレオチドであって、連結オリゴヌクレオチドの第１部分は、ハイブリダイゼーションの結果、凝集体プローブの前記少なくとも２種類のナノ粒子のうちの少なくとも１種類のナノ粒子に結び付けられたオリゴヌクレオチドと結合し、連結オリゴヌクレオチドの第２部分は、ハイブリダイゼーションの結果、ｓｂｐメンバーの特異的結合補体を結び付けたオリゴヌクレオチドに結合する連結オリゴヌクレオチド
を備えたキット。
【請求項７７】
ｓｂｐメンバーがビオチンである、請求項７６に記載のキット。
【請求項７８】
ｓｂｐメンバーの特異的結合補体がストレプトアビジンまたはアビジンである、請求項７６に記載のキット。
【請求項７９】
ナノファブリケーションの方法であって、
選択配列を有する連結オリゴヌクレオチドを提供するステップであって、連結オリゴヌクレオチドの各種類の配列が少なくとも２つの部分を有するステップと、
オリゴヌクレオチドを取り付けた１または複数の種類のナノ粒子を提供するステップであって、各種類のナノ粒子上のオリゴヌクレオチドが連結オリゴヌクレオチドの配列の第２部分に相補的な配列を有するステップと、
２つ以上のビオチン分子に結び付けられたストレプトアビジンまたはアビジンより構成された複合体を提供するステップであって、各分子にはオリゴヌクレオチドが結び付けられ、該オリゴヌクレオチドは、連結オリゴヌクレオチドの配列の第２部分に相補的な配列を有するステップと、
連結オリゴヌクレオチド、複合体およびナノ粒子を、所望のナノ材料またはナノ構造を形成するよう、ナノ粒子上のオリゴヌクレオチドおよびビオチンに結び付けられた第１のオリゴヌクレオチドの連結オリゴヌクレオチドに対するハイブリダイゼーションを許容するのに有効な条件下で接触させるステップと、から成る方法。
【請求項８０】
ナノファブリケーションの方法であって、
（ｉ）各種類の連結オリゴヌクレオチドの配列が少なくとも２つの部分を有する、少なくとも１種類の連結オリゴヌクレオチド、（ｉｉ）オリゴヌクレオチドが取り付けられた少なくとも２種類のナノ粒子であって、第１種類のナノ粒子上のオリゴヌクレオチドは、第２種類のナノ粒子上のオリゴヌクレオチドの配列に相補的な配列と連結オリゴヌクレオチドの配列の第１部分に相補的な配列とを有し、第２種類のナノ粒子上のオリゴヌクレオチドは、第１種類のナノ粒子−オリゴヌクレオチド共役体上のオリゴヌクレオチドの配列に相補的な配列と連結オリゴヌクレオチドの配列の第１部分に相補的な配列とを有するナノ粒子と、（ｉｉｉ）２つ以上のビオチン分子に結び付けられたストレプトアビジンまたはアビジンより構成された複合体であって、各分子にはオリゴヌクレオチドが結び付けられ、該ビオチンに結び付けられたオリゴヌクレオチドは、連結オリゴヌクレオチドの配列の第２部分に相補的な配列を有する複合体と、を提供するステップと、
第１および第２種類のナノ粒子、連結オリゴヌクレオチド、および複合体を、所望のナノ材料またはナノ構造を形成するよう、ナノ粒子上のオリゴヌクレオチドの互いに対するおよび連結オリゴヌクレオチドに対するハイブリダイゼーションならびに連結オリゴヌクレオチドに対する複合体のオリゴヌクレオチドのハイブリダイゼーションを許容するのに有効な条件下で接触させるステップと、から成る方法。
【請求項８１】
ナノファブリケーションの方法であって、
（ａ）各種類の連結オリゴヌクレオチドの配列が少なくとも２つの部分を有する、少なくとも１種類の連結オリゴヌクレオチド、（ｂ）オリゴヌクレオチドが取り付けられた１または複数のナノ粒子であって、各種類のナノ粒子上のオリゴヌクレオチドが、連結オリゴヌクレオチドの配列の第１部分に相補的な配列を有するナノ粒子、（ｃ）オリゴヌクレオチドが結び付けられたビオチンであって、ビオチン分子に結び付けられたオリゴヌクレオチドは、連結オリゴヌクレオチドの配列の第２部分に相補的な配列を有するビオチン、（ｄ）ストレプトアビジンまたはアビジンを提供するステップと、
連結オリゴヌクレオチド、オリゴヌクレオチドが結び付けられたビオチン、およびナノ粒子を、ナノ粒子上のオリゴヌクレオチドとビオチンに結び付けられたオリゴヌクレオチドとが連結オリゴヌクレオチドに対してハイブリダイゼーションし、複合体を形成するのに十分な条件下で接触させるステップと、
複合体を、所望のナノ材料またはナノ構造を形成するよう、ビオチンとストレプトアビジンまたはアビジンとの間の特異的結合相互作用を許容するのに有効な条件下で、ストレプトアビジンまたはアビジンと接触させるステップと、から成る方法。
【請求項８２】
ナノ材料であって、
（ｉ）各種類の連結オリゴヌクレオチドの配列が少なくとも２つの部分を有する、少なくとも１種類の連結オリゴヌクレオチド、（ｉｉ）オリゴヌクレオチドが取り付けられた少なくとも２種類のナノ粒子であって、第１種類のナノ粒子上のオリゴヌクレオチドは、第２種類のナノ粒子上のオリゴヌクレオチドの配列に相補的な配列と連結オリゴヌクレオチドの配列の第１部分に相補的な配列とを有し、第２種類のナノ粒子上のオリゴヌクレオチドは、第１種類のナノ粒子−オリゴヌクレオチド共役体上のオリゴヌクレオチドの配列に相補的な配列と連結オリゴヌクレオチドの配列の第１部分に相補的な配列とを有するナノ粒子と、（ｉｉｉ）２つ以上のビオチン分子に結び付けられたストレプトアビジンまたはアビジンより構成された複合体であって、各分子にはオリゴヌクレオチドが結び付けられ、該ビオチンに結び付けられたオリゴヌクレオチドは、連結オリゴヌクレオチドの配列の第２部分に相補的な配列を有する複合体と、を提供するステップと、
第１および第２種類のナノ粒子、連結オリゴヌクレオチド、および複合体を、所望のナノ材料またはナノ構造を形成するよう、ナノ粒子上のオリゴヌクレオチドの互いに対するおよび連結オリゴヌクレオチドに対するハイブリダイゼーションならびに連結オリゴヌクレオチドに対する複合体のオリゴヌクレオチドのハイブリダイゼーションを許容するのに有効な条件下で接触させるステップと、から成る方法によって製造されたナノ材料。
【請求項８３】
ナノ材料であって、
（ａ）各種類の連結オリゴヌクレオチドの配列が少なくとも２つの部分を有する、少なくとも１種類の連結オリゴヌクレオチド、（ｂ）オリゴヌクレオチドが取り付けられた１または複数のナノ粒子であって、各種類のナノ粒子上のオリゴヌクレオチドが、連結オリゴヌクレオチドの配列の第１部分に相補的な配列を有するナノ粒子、（ｃ）オリゴヌクレオチドが結び付けられたビオチンであって、ビオチン分子に結び付けられたオリゴヌクレオチドは、連結オリゴヌクレオチドの配列の第２部分に相補的な配列を有するビオチン、（ｄ）ストレプトアビジンまたはアビジンを提供するステップと、
連結オリゴヌクレオチド、オリゴヌクレオチドが結び付けられたビオチン、およびナノ粒子を、ナノ粒子上のオリゴヌクレオチドとビオチンに結び付けられたオリゴヌクレオチドとが連結オリゴヌクレオチドに対してハイブリダイゼーションし、複合体を形成するのに十分な条件下で接触させるステップと、
複合体を、所望のナノ材料またはナノ構造を形成するよう、ビオチンとストレプトアビジンまたはアビジンとの間の特異的結合相互作用を許容するのに有効な条件下で、ストレプトアビジンまたはアビジンと接触させるステップと、から成る方法によって製造されたナノ材料。
【請求項８４】
少なくとも２つの部分を有する選択標的核酸を、他の核酸から分離する方法であって、
（ａ）各種類のナノ粒子上のオリゴヌクレオチドが選択核酸の第１部分の配列に相補的な配列を有する、オリゴヌクレオチドを取り付けた１または複数の種類のナノ粒子、および（ｂ）各分子に第１のオリゴヌクレオチドが結び付けられ、第１のオリゴヌクレオチドが選択核酸の第２部分の配列に相補的な配列を有する、２つ以上のビオチン分子に結び付けられたストレプトアビジンまたはアビジンより構成された複合体、を提供するステップと、
選択核酸および他の核酸を、ナノ粒子上のオリゴヌクレオチドおよび複合体の第１のオリゴヌクレオチドの、選択核酸とのハイブリダイゼーションを許容して、続いて凝集体を形成するのを許容するのに有効な条件下でナノ粒子と接触させるステップと、
選択核酸を含む凝集体を分別するステップと、から成る方法。
【請求項８５】
少なくとも２つの部分を有する選択標的核酸を、他の核酸から分離する方法であって、
（ａ）各種類のナノ粒子上のオリゴヌクレオチドが選択核酸の第１部分の配列に相補的な配列を有する、オリゴヌクレオチドを取り付けた１または複数の種類のナノ粒子、（ｂ）選択核酸の第２部分の配列に相補的な配列を有するオリゴヌクレオチドを結び付けたビオチン、および（ｃ）ストレプトアビジンまたはアビジンを提供するステップと、
選択核酸および他の核酸を、ナノ粒子上のオリゴヌクレオチドとビオチン構築物のオリゴヌクレオチドの、選択核酸とのハイブリダイゼーションを許容して、複合体を形成するのを許容するのに有効な条件下で、オリゴヌクレオチドを結び付けたナノ粒子およびビオチンと接触させるステップと、
ビオチンとストレプトアビジンまたはアビジンとの間の特異的結合相互作用を許容し、続いて凝集体を形成するのを許容するのに有効な条件下で、複合体を、ストレプトアビジンまたはアビジンと接触させるステップと、
選択核酸を含む凝集体を分別するステップと、から成る方法。